【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
記録材の種類を判別する記録材判別装置であって、
記録材に光を照射し、記録材を介した光を検知する第１検知部と、
記録材に超音波を照射し、記録材を介した超音波を検知する第２検知部と、
記録材を搬送する搬送部と、
前記第１検知部と前記第２検知部とが前記搬送部を挟む位置に配置され、且つ前記第１検知部と前記前記第２検知部の両方で記録材の検知を行う位置に配置されることを特徴とする記録材判別装置。
【請求項２】
前記搬送部は、複数の搬送部材を有し、
前記第１検知部と第２検知部とが、前記複数の搬送部のうちの１つを挟んだ位置に夫々配置されることを特徴とする請求項１に記載の記録材判別装置。
【請求項３】
前記第１検知部と第２検知部によって記録材を検知する位置とは、前記搬送部によって記録材を挟持する位置を挟んだ記録材の夫々位置であることを特徴とする請求項１または２に記載の記録材判別装置。
【請求項４】
前記記録材を停止した状態で前記第１検知部と前記第２検知部とによる検知動作を実行することを特徴とする請求項１乃至３のいずれか１項に記載の記録材判別装置。
【請求項５】
前記第１検知部は、記録材の表面に光を照射して、記録材の表面で反射された光を映像をとして撮像して、撮像した映像に基づき記録材の表面状態を検知する映像読み取りセンサであって、
前記第１検知部による検知動作と前記第２検知部による検知動作とを同じタイミングで実行することを特徴とする請求項１乃至４のいずれか１項に記載の記録材判別装置。
【請求項６】
第１に前記映像読み取りセンサによって前記記録材から反射される光の光量に基づき第１の判別を実行し、
第２に前記映像読み取りセンサによって撮像された前記画像データに基づき第２の判別を実行し、
第３に前記超音波センサによって検知される前記超音波に基づいて第３の判別を実行することを特徴とする請求項５に記載の記録材判別装置。
【請求項７】
前記第２検知部による検知の方が、前記第１検知部による検知より早く開始されることを特徴とする請求項１乃至４のいずれか１項に記載の記録材判別装置。
【請求項８】
前記第１検知部と前記第２検知部によって記録材の検知を行うことができる位置に前記搬送部によって記録材が搬送されたことを検知する第３検知部を有し、
前記第３検知部の検知結果に基づき、前記第１検知部と前記第２検知部により記録材の検知を行うことを特徴とする請求項１乃至７のいずれか１項に記載の記録材判別装置。
【請求項９】
前記第１検知部と前記第２検知部と前記搬送部は、記録材が搬送される方向と直交する方向に並んで配置されることを特徴とする請求項１乃至８のいずれか１項に記載の記録材判別装置。
【請求項１０】
記録材に画像を形成する画像形成装置であって、
記録材に画像を形成するための画像形成部と、
前記画像形成部に記録材を搬送するための搬送部と、
記録材に光を照射し、記録材を介した光を検知する第１検知部と、
記録材に超音波を照射し、記録材を介した超音波を検知する第２検知部と、
前記第１検知部と第２検知部とが、前記搬送部を挟む位置に配置され、且つ前記第１検知部と前記第２検知部の両方で記録材の検知を行う位置に配置されており、
前記第１検知部と前記第２検知部の検知結果に基づいて前記画像形成部の画像形成条件を設定することを特徴とする画像形成装置。
【請求項１１】
前記搬送部は、複数の搬送部材を有し、
前記第１検知部と第２検知部とが、前記複数の搬送部材のうちの１つを挟んで夫々配置されることを特徴とする請求項１０に記載の画像形成装置。
【請求項１２】
前記第１検知部と第２検知部によって記録材を検知する位置とは、前記搬送部によって記録材を挟持する位置を挟んだ記録材の夫々位置であることを特徴とする請求項１０または１１に記載の画像形成装置。
【請求項１３】
前記搬送部によって搬送された記録材を停止した状態で前記第１検知部と前記第２検知部による検知動作を実行することを特徴とする請求項１０乃至１２のいずれか１項に記載の画像形成装置。
【請求項１４】
前記第１検知部は、記録材の表面に光を照射して、記録材の表面で反射された光を映像をとして撮像して、撮像した映像に基づき記録材の表面状態を検知する映像読み取りセンサであって、
前記第１検知部による検知動作と前記第２検知部による検知動作とを同じタイミングで実行することを特徴とする請求項１０乃至１３のいずれか１項に記載の画像形成装置。
【請求項１５】
第１に前記映像読み取りセンサによって前記記録材から反射される光の光量に基づき第１の判別を実行し、
第２に前記映像読み取りセンサによって撮像された前記画像データに基づき第２の判別を実行し、
第３に前記超音波センサによって検知される前記超音波に基づいて第３の判別を実行することを特徴とする請求項１４に記載の画像形成装置。
【請求項１６】
前記第１検知部と前記第２検知部の検知結果に基づいて記録材の種類を判別する記録材判別部を有し、
前記記録材判別部によって判別された記録材の種類に基づいて前記画像形成条件を設定することを特徴とする請求項１０に記載の画像形成装置。
【請求項１７】
前記第２検知部による検知の方が、前記第１検知部による検知より早く開始されることを特徴とする請求項１０乃至１６のいずれか１項に記載の画像形成装置。
【請求項１８】
前記第１検知部と前記第２検知部によって記録材の検知を行うことができる位置に前記搬送部によって記録材が搬送されたことを検知する第３検知部を有し、
前記第３検知部の検知結果に基づき、前記第１検知部と前記第２検知部により記録材の検知を行うことを特徴とする請求項１０乃至１７のいずれか１項に記載の画像形成装置。
【請求項１９】
前記第１検知部と前記第２検知部と前記搬送部は、記録材が搬送される方向と直交する方向に並んで配置されることを特徴とする請求項１０乃至１８のいずれか１項に記載の画像形成装置。
【請求項２０】
記録材の種類を判別する記録材判別装置であって、
記録材に光を照射し、記録材を介した光を検知する第１検知部と、
記録材に超音波を照射し、記録材を介した超音波を検知する第２検知部と、を有し、
前記第１検知部による検知動作と第２検知部による検知動作を異なるタイミングで実行することを特徴とする記録材判別装置。
【請求項２１】
記録材を搬送した状態で前記第１検知部による検知動作を実行し、記録材を停止した状態で前記第２検知部による検知動作を実行することを特徴とする請求項２０に記載の記録材判別装置。
【請求項２２】
前記第１検知部と第２検知部とが、前記搬送部を挟む位置に配置され、且つ前記第１検知部と前記第２検知部の両方で記録材の検知を行う位置に配置されることを特徴とする請求項２０または２１に記載の記録材判別装置。
【請求項２３】
記録材に画像を形成する画像形成装置であって、
記録材に画像を形成するための画像形成部と、
前記画像形成部に記録材を搬送するための搬送部と、
記録材の表面の映像に基づいて記録材の表面状態に応じた特性を検知する第１検知部と、
記録材に超音波を照射して記録材を介して検知された超音波に基づいて記録材の坪量に応じた特性を検知する第２検知部と、を有し、
前記第１検知部による検知動作と第２検知部による検知動作を異なるタイミングで実行し、前記第１検知部と前記第２検知部の検知結果に基づいて前記画像形成部の画像形成条件を設定することを特徴とする画像形成装置。
【請求項２４】
記録材を搬送した状態で前記第１検知部による検知動作を実行し、記録材を停止した状態で前記第２検知部による検知動作を実行することを特徴とする請求項２３に記載の画像形成装置。
【請求項２５】
前記第１検知部と前記第２検知部の検知結果に基づいて記録材の種類を判別する記録材判別部を有し、
前記記録材判別部によって判別された記録材の種類に基づいて前記画像形成条件を設定することを特徴とする請求項２３または２４に記載の画像形成装置。
【請求項２６】
前記第１検知部と第２検知部とが、前記搬送部を挟む位置に配置され、且つ前記第１検知部と前記第２検知部の両方で記録材の検知を行う位置に配置されることを特徴とする請求項２３乃至２５のいずれか１項に記載の画像形成装置。
【手続補正２】
【補正対象書類名】明細書
【補正対象項目名】００１５
【補正方法】変更
【補正の内容】
【００１５】
上記目的を達成するための本発明の記録材判別装置は、記録材に光を照射し、記録材を介した光を検知する第１検知部と、記録材に超音波を照射し、記録材を介した超音波を検知する第２検知部と、記録材を搬送する搬送部と、前記第１検知部と前記第２検知部とが前記搬送部を挟む位置に配置され、且つ前記第１検知部と前記前記第２検知部の両方で記録材の検知を行う位置に配置されることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】